(57)【要約】【課題】カラオケ演奏の評価結果を簡便にソーシャルネットワークサービスに投稿する携帯型情報通信端末及びプログラムを提供する。【解決手段】カラオケ演奏出力に際して歌唱を評価する歌唱評価手段１０６と、歌唱評価手段１０６による評価結果を含む画像１２０をタッチパネルディスプレイ５４に表示させる評価結果表示手段１０８と、予め登録されたＳＮＳへの投稿を行うための操作が行われた場合、表示された画像１２０のうち演奏出力の継続に係る部分画像を除外し、且つカラオケ演奏の利用記録に係る情報を付加した投稿画像１４４等をＳＮＳへ投稿する投稿制御手段１１２とを、備えたものであることから、カラオケ演奏に際して表示される画像１２０のうち不要な部分を削除し、盛り込むべき部分を追加した投稿画像１４４をＳＮＳに簡便に投稿することができる。【選択図】図５
2014119667.tif 000002
【特許請求の範囲】
【請求項１】
表示部及び音声入力部を備え、多数のカラオケデータのうちから選択される所定のカラオケデータに対応する演奏曲を出力させると共に、通信回線を介してサーバ装置との間で情報の通信を行う携帯型情報通信端末であって、
所定のカラオケデータの演奏出力に際して、該カラオケデータに係る模範歌唱データと前記音声入力部から入力される音声情報とを比較することにより、該音声情報に対応する歌唱を評価する歌唱評価手段と、
該歌唱評価手段による評価結果を含む画像を前記表示部に表示させる評価結果表示手段と、
予め前記携帯型情報通信端末に登録されたソーシャルネットワークサービスへの投稿を行うための操作が行われた場合、前記表示部に表示された画像のうち前記演奏出力の継続に係る部分画像を除外し、且つ前記携帯型情報通信端末によるカラオケ演奏の利用記録に係る情報を付加した投稿画像を前記ソーシャルネットワークサービスへ投稿する投稿制御手段と
を、備えたものであることを特徴とする携帯型情報通信端末。
【請求項２】
前記投稿制御手段による投稿の、前記ソーシャルネットワークサービスにおける公開範囲を設定する公開範囲設定手段を備え、
前記投稿制御手段は、前記公開範囲設定手段により設定される公開範囲に応じて、前記投稿画像に付加される前記カラオケ演奏の利用記録に係る情報の範囲を変更するものである
請求項１に記載の携帯型情報通信端末。
【請求項３】
前記ソーシャルネットワークサービスにおける公開範囲それぞれに対応して、前記投稿画像に付加される前記カラオケ演奏の利用記録に係る情報の範囲がそれぞれ異なる複数パターンの前記投稿画像を選択可能に前記表示部に表示させる投稿画像表示手段を備え、
前記投稿制御手段は、前記表示部に表示された複数パターンの投稿画像の何れかに対する入力操作が行われた場合、該投稿画像を前記ソーシャルネットワークサービスへ投稿するものである
請求項１に記載の携帯型情報通信端末。
【請求項４】
前記カラオケ演奏の利用記録に係る情報は、前記歌唱評価手段による評価の対象となったカラオケデータに対応する演奏出力が行われた時間情報、前記カラオケデータに対応する曲名、及び前記カラオケデータに対応する歌手名のうち少なくとも１つを含むものである請求項１から３の何れか１項に記載の携帯型情報通信端末。
【請求項５】
前記投稿画像は、前記歌唱評価手段による評価の対象となった利用者に対応するアバタ画像を含むものである請求項１から４の何れか１項に記載の携帯型情報通信端末。
【請求項６】
前記歌唱評価手段は、前記評価の対象となるカラオケデータにおける所定区間毎の前記模範歌唱データと前記音声入力部から入力される音声情報とを比較することにより、該音声情報に対応する歌唱を前記所定区間毎に評価するものであり、
前記投稿画像は、前記歌唱評価手段による前記所定区間毎の評価結果に対応するグラフを含むものである
請求項１から５の何れか１項に記載の携帯型情報通信端末。
【請求項７】
前記投稿制御手段は、前記投稿画像の投稿に相前後して、前記歌唱評価手段による評価の対象となったカラオケ演奏の利用記録に係るテキスト情報を、前記投稿画像と対応付けて前記ソーシャルネットワークサービスへ投稿するものである請求項１から６の何れか１項に記載の携帯型情報通信端末。
【請求項８】
前記テキスト情報は、前記歌唱評価手段による評価の対象となったカラオケデータに対応する演奏出力が行われた時間情報、前記歌唱評価手段による評価結果、前記カラオケデータに対応する曲名、及び前記カラオケデータに対応する歌手名のうち少なくとも１つを含むものである請求項７に記載の携帯型情報通信端末。
【請求項９】
前記歌唱評価手段による評価の対象となったカラオケデータの演奏出力に際して、前記音声入力部から入力される音声情報を録音する録音制御手段を備え、
前記投稿制御手段は、前記投稿画像の投稿に相前後して、前記歌唱評価手段による評価の対象となったカラオケデータの演奏出力に際して前記録音制御手段により録音された音声情報を、前記投稿画像と対応付けて前記ソーシャルネットワークサービスへ投稿するものである
請求項１から８の何れか１項に記載の携帯型情報通信端末。
【請求項１０】
表示部及び音声入力部を備え、多数のカラオケデータのうちから選択される所定のカラオケデータに対応する演奏曲を出力させると共に、通信回線を介してサーバ装置との間で情報の通信を行う携帯型情報通信端末の制御装置を、
所定のカラオケデータの演奏出力に際して、該カラオケデータに係る模範歌唱データと前記音声入力部から入力される音声情報とを比較することにより、該音声情報に対応する歌唱を評価する歌唱評価手段、
該歌唱評価手段による評価結果を含む画像を前記表示部に表示させる評価結果表示手段、
及び、予め前記携帯型情報通信端末に登録されたソーシャルネットワークサービスへの投稿を行うための操作が行われた場合、前記表示部に表示された画像のうち前記演奏出力の継続に係る部分画像を除外し、且つ前記携帯型情報通信端末によるカラオケ演奏の利用記録に係る情報を付加した投稿画像を前記ソーシャルネットワークサービスへ投稿する投稿制御手段
として機能させることを特徴とするプログラム。
【発明の詳細な説明】
【技術分野】
【０００１】
本発明は、携帯型情報通信端末及びプログラムに関し、特に、カラオケ演奏の評価結果を簡便にソーシャルネットワークサービスに投稿するための改良に関する。
【背景技術】
【０００２】
近年、インターネットにおいてＳＮＳすなわちソーシャルネットワークサービス（Social Network Service）が実用化されており、所謂スマートフォン等の携帯型情報通信端末を媒体として広く利用されている。このＳＮＳとは、例えば、予め会員登録された会員相互間に限定して情報の閲覧等のサービスを提供する会員制のコミュニティ型のウェブサイトをいうものであり、各利用者が手軽に画像や動画等のアップロードを行い得る点に特長がある。斯かるＳＮＳに携帯型情報通信端末から画像等のコンテンツをアップロードする技術が提案されている。例えば、特許文献１に記載された端末機がそれである。
【先行技術文献】
【特許文献】
【０００３】
【特許文献１】特開２０１１−９６２５１号公報
【発明の概要】
【発明が解決しようとする課題】
【０００４】
ところで、最近の技術革新に伴い、所謂スマートフォン等の携帯型情報通信端末によりカラオケ演奏を行う技術が実用化されている。また、斯かるカラオケ演奏の歌唱評価を行い、その結果を確認可能に前記携帯型情報通信端末に表示させる技術が開発されている。このカラオケ演奏の評価結果は、通常、前記携帯型情報通信端末の画面に所定の画像として表示されるが、この画像を前記ＳＮＳに投稿（アップロード）したいという要望があった。
【０００５】
しかし、前述したような従来の技術により前記カラオケ演奏の評価結果を投稿する態様では、携帯型情報通信端末の画面に表示されていた前記カラオケ演奏の評価結果を示す画像と、前記ＳＮＳにアップロードされる画像とが違ったものになってしまうという弊害があった。ＳＮＳにおける投稿は、友達等への公開を目的とするものであり見栄えも重要であるため、斯かる弊害は無視できない。このような弊害を解消するため、前記携帯型情報通信端末に表示された前記カラオケ演奏の評価結果を示す画像をそのままＳＮＳにアップロードすることも考えられるが、前記携帯型情報通信端末によるカラオケ演奏に際して、その表示部に表示される画像には、例えばそのカラオケ演奏の各種操作に係るボタン等、ＳＮＳへのアップロードには不要な画像を含むため、前記携帯型情報通信端末に表示された画像をそのままアップロードするのでは新たな弊害を生じさせる。このような課題は、携帯型情報通信端末によるカラオケサービスの利便性向上を意図して本発明者が鋭意研究を継続する過程において新たに見出されたものである。
【０００６】
本発明は、以上の事情を背景として為されたものであり、その目的とするところは、カラオケ演奏の評価結果を簡便にソーシャルネットワークサービスに投稿する携帯型情報通信端末及びプログラムを提供することにある。
【課題を解決するための手段】
【０００７】
斯かる目的を達成するために、本第１発明の要旨とするところは、表示部及び音声入力部を備え、多数のカラオケデータのうちから選択される所定のカラオケデータに対応する演奏曲を出力させると共に、通信回線を介してサーバ装置との間で情報の通信を行う携帯型情報通信端末であって、所定のカラオケデータの演奏出力に際して、そのカラオケデータに係る模範歌唱データと前記音声入力部から入力される音声情報とを比較することにより、その音声情報に対応する歌唱を評価する歌唱評価手段と、その歌唱評価手段による評価結果を含む画像を前記表示部に表示させる評価結果表示手段と、予め前記携帯型情報通信端末に登録されたソーシャルネットワークサービスへの投稿を行うための操作が行われた場合、前記表示部に表示された画像のうち前記演奏出力の継続に係る部分画像を除外し、且つ前記携帯型情報通信端末によるカラオケ演奏の利用記録に係る情報を付加した投稿画像を前記ソーシャルネットワークサービスへ投稿する投稿制御手段とを、備えたことを特徴とするものである。
【発明の効果】
【０００８】
このように、前記第１発明によれば、所定のカラオケデータの演奏出力に際して、そのカラオケデータに係る模範歌唱データと前記音声入力部から入力される音声情報とを比較することにより、その音声情報に対応する歌唱を評価する歌唱評価手段と、その歌唱評価手段による評価結果を含む画像を前記表示部に表示させる評価結果表示手段と、予め前記携帯型情報通信端末に登録されたソーシャルネットワークサービスへの投稿を行うための操作が行われた場合、前記表示部に表示された画像のうち前記演奏出力の継続に係る部分画像を除外し、且つ前記携帯型情報通信端末によるカラオケ演奏の利用記録に係る情報を付加した投稿画像を前記ソーシャルネットワークサービスへ投稿する投稿制御手段とを、備えたものであることから、前記携帯型情報通信端末によるカラオケ演奏に際してその表示部に表示される画像のうち不要な部分を削除し、盛り込むべき部分を追加した前記カラオケ演奏の評価結果を示す画像を、前記ソーシャルネットワークサービスに簡便に投稿することができる。すなわち、カラオケ演奏の評価結果を簡便にソーシャルネットワークサービスに投稿する携帯型情報通信端末を提供することができる。
【０００９】
前記第１発明に従属する本第２発明の要旨とするところは、前記投稿制御手段による投稿の、前記ソーシャルネットワークサービスにおける公開範囲を設定する公開範囲設定手段を備え、前記投稿制御手段は、前記公開範囲設定手段により設定される公開範囲に応じて、前記投稿画像に付加される前記カラオケ演奏の利用記録に係る情報の範囲を変更するものである。このようにすれば、対象となる投稿の公開範囲に応じて適切な情報を盛り込んだ前記投稿画像を前記ソーシャルネットワークサービスに簡便に投稿することができる。
【００１０】
前記第１発明に従属する本第３発明の要旨とするところは、前記ソーシャルネットワークサービスにおける公開範囲それぞれに対応して、前記投稿画像に付加される前記カラオケ演奏の利用記録に係る情報の範囲がそれぞれ異なる複数パターンの前記投稿画像を選択可能に前記表示部に表示させる投稿画像表示手段を備え、前記投稿制御手段は、前記表示部に表示された複数パターンの投稿画像の何れかに対する入力操作が行われた場合、その投稿画像を前記ソーシャルネットワークサービスへ投稿するものである。このようにすれば、対象となる投稿の公開範囲に応じて適切な情報を盛り込んだ前記投稿画像を前記ソーシャルネットワークサービスに簡便に投稿することができる。
【００１１】
前記第１発明から第３発明の何れかに従属する本第４発明の要旨とするところは、前記カラオケ演奏の利用記録に係る情報は、前記歌唱評価手段による評価の対象となったカラオケデータに対応する演奏出力が行われた時間情報、前記カラオケデータに対応する曲名、及び前記カラオケデータに対応する歌手名のうち少なくとも１つを含むものである。このようにすれば、評価の対象となったカラオケ演奏に対応して適切な情報を盛り込んだ前記投稿画像を前記ソーシャルネットワークサービスに簡便に投稿することができる。
【００１２】
前記第１発明から第４発明の何れかに従属する本第５発明の要旨とするところは、前記投稿画像は、前記歌唱評価手段による評価の対象となった利用者に対応するアバタ画像を含むものである。このようにすれば、前記カラオケ演奏を行った利用者を象徴するアバタ画像を含む前記投稿画像を前記ソーシャルネットワークサービスに簡便に投稿することができる。
【００１３】
前記第１発明から第５発明の何れかに従属する本第６発明の要旨とするところは、前記歌唱評価手段は、前記評価の対象となるカラオケデータにおける所定区間毎の前記模範歌唱データと前記音声入力部から入力される音声情報とを比較することにより、その音声情報に対応する歌唱を前記所定区間毎に評価するものであり、前記投稿画像は、前記歌唱評価手段による前記所定区間毎の評価結果に対応するグラフを含むものである。このようにすれば、前記カラオケ演奏の区間毎の詳細な評価結果を含む前記投稿画像を前記ソーシャルネットワークサービスに簡便に投稿することができる。
【００１４】
前記第１発明から第６発明の何れかに従属する本第７発明の要旨とするところは、前記投稿制御手段は、前記投稿画像の投稿に相前後して、前記歌唱評価手段による評価の対象となったカラオケ演奏の利用記録に係るテキスト情報を、前記投稿画像と対応付けて前記ソーシャルネットワークサービスへ投稿するものである。このようにすれば、前記投稿画像に加えて、前記ソーシャルネットワークサービスにおける投稿のコメント等に相当するテキスト情報を簡便に投稿することができる。
【００１５】
前記第７発明に従属する本第８発明の要旨とするところは、前記テキスト情報は、前記歌唱評価手段による評価の対象となったカラオケデータに対応する演奏出力が行われた時間情報、前記歌唱評価手段による評価結果、前記カラオケデータに対応する曲名、及び前記カラオケデータに対応する歌手名のうち少なくとも１つを含むものである。このようにすれば、前記投稿画像に加えて、前記ソーシャルネットワークサービスにおける投稿のコメント等に相当する、評価の対象となったカラオケ演奏に対応する適切なテキスト情報を簡便に投稿することができる。
【００１６】
前記第１発明から第８発明の何れかに従属する本第９発明の要旨とするところは、前記歌唱評価手段による評価の対象となったカラオケデータの演奏出力に際して、前記音声入力部から入力される音声情報を録音する録音制御手段を備え、前記投稿制御手段は、前記投稿画像の投稿に相前後して、前記歌唱評価手段による評価の対象となったカラオケデータの演奏出力に際して前記録音制御手段により録音された音声情報を、前記投稿画像と対応付けて前記ソーシャルネットワークサービスへ投稿するものである。このようにすれば、前記投稿画像に加えて、評価の対象となったカラオケ演奏の録音データを簡便に投稿することができる。
【００１７】
前記目的を達成するために、本第１０発明の要旨とするところは、表示部及び音声入力部を備え、多数のカラオケデータのうちから選択される所定のカラオケデータに対応する演奏曲を出力させると共に、通信回線を介してサーバ装置との間で情報の通信を行う携帯型情報通信端末の制御装置を、所定のカラオケデータの演奏出力に際して、そのカラオケデータに係る模範歌唱データと前記音声入力部から入力される音声情報とを比較することにより、その音声情報に対応する歌唱を評価する歌唱評価手段、その歌唱評価手段による評価結果を含む画像を前記表示部に表示させる評価結果表示手段、及び、予め前記携帯型情報通信端末に登録されたソーシャルネットワークサービスへの投稿を行うための操作が行われた場合、前記表示部に表示された画像のうち前記演奏出力の継続に係る部分画像を除外し、且つ前記携帯型情報通信端末によるカラオケ演奏の利用記録に係る情報を付加した投稿画像を前記ソーシャルネットワークサービスへ投稿する投稿制御手段として機能させることを特徴とするプログラムである。このようにすれば、前記携帯型情報通信端末によるカラオケ演奏に際してその表示部に表示される画像のうち不要な部分を削除し、盛り込むべき部分を追加した前記カラオケ演奏の評価結果を示す画像を、前記ソーシャルネットワークサービスに簡便に投稿することができる。すなわち、カラオケ演奏の評価結果を簡便にソーシャルネットワークサービスに投稿するプログラムを提供することができる。
【図面の簡単な説明】
【００１８】
【図１】本発明の携帯型情報通信端末が好適に適用される通信システムの構成を説明する図である。
【図２】本発明の携帯型情報通信端末の一実施例である携帯電話機の構成を例示する図である。
【図３】図１に示す通信システムに備えられたカラオケサービスに係るサーバ装置の構成を例示する図である。
【図４】図１に示す通信システムに備えられたソーシャルネットワークサービスに係るサーバ装置の構成を例示する図である。
【図５】図２に示す携帯電話機のＣＰＵ、図３に示すサーバ装置のＣＰＵ、及び図４に示すサーバ装置のＣＰＵにそれぞれ備えられた制御機能の要部を説明する機能ブロック線図である。
【図６】図２に示す携帯電話機に表示される評価結果を含む画像の一例を示す図である。
【図７】図６に示す評価結果を含む画像に対応して表示される、その評価結果に係るＳＮＳへの投稿準備画面を例示する図である。
【図８】図６に示す評価結果を含む画像に対応する、ＳＮＳへの投稿画像を例示する図である。
【図９】図２に示す携帯電話機において設定される公開範囲と、投稿画像に付加される利用記録に係る情報の範囲との関係の一例を示す図である。
【図１０】図６に示す評価結果を含む画像に対応する、ＳＮＳへの投稿画像の他の一例を示す図である。
【図１１】図６に示す評価結果を含む画像に対応する、ＳＮＳへの投稿画像の更に別の一例を示す図である。
【図１２】図７に示す投稿準備画面に対応して投稿された投稿画像及びテキスト情報等が、投稿後のＳＮＳにおいて公開された様子を例示する図である。
【図１３】図２に示す携帯電話機のＣＰＵによるＳＮＳログイン制御の要部を説明するフローチャートである。
【図１４】図２に示す携帯電話機のＣＰＵによるカラオケ演奏／評価結果投稿制御の要部を説明するフローチャートである。
【発明を実施するための形態】
【００１９】
以下、本発明の好適な実施例を図面に基づいて詳細に説明する。
【実施例】
【００２０】
図１は、本発明の携帯型情報通信端末が好適に適用される通信システム１０の構成を説明する図である。この図１に示す通信システム１０は、本発明の携帯型情報通信端末の一実施例である携帯電話機１２及びタブレット１４を備えている。すなわち、本発明は、以下に詳述する携帯電話機１２の他、タブレット１４等の携帯型情報通信端末にも適用され得るものであるが、本実施例においては、前記携帯電話機１２に本発明が適用された例について説明する。前記携帯電話機１２及びタブレット１４は、中継基地局１６を介して例えば公衆電話回線、ＡＤＳＬ回線、或いは光ファイバ回線等から構成されるインターネット等の通信回線１８に接続されている。この通信回線１８には、カラオケサービス提供会社によって運営されるサーバ装置２０及びソーシャルネットワークサービス（Social Network Service）提供会社によって運営されるサーバ装置２２が接続され、前記携帯電話機１２及びタブレット１４等との間で相互に情報の通信が可能とされている。また、前記通信回線１８には、パーソナルコンピュータ２４をはじめとする各種情報通信端末が接続され、前記サーバ装置２０、２２等との間で相互に情報の通信が可能とされている。
【００２１】
図２は、前記携帯電話機１２の構成を例示する図である。図２に示すように、前記携帯電話機１２は、その携帯電話機１２に備えられた制御装置すなわちコンピュータにおける中央演算処理装置であるＣＰＵ３０と、読出専用メモリであるＲＯＭ３２と、随時書込読出メモリであるＲＡＭ３４と、フラッシュＲＯＭ等の記憶部３６と、後述するタッチパネルディスプレイ５４の補助的な操作を行うための操作部３８と、アンテナ４０と、送受信部４２と、モデム部４４と、音声コーディック部４６と、アナログフロントエンド４８と、スピーカ５０と、マイクロフォン５２と、タッチパネルディスプレイ５４と、シンセサイザ６４とを、備えて構成されている。
【００２２】
前記ＣＰＵ３０は、随時書込読出メモリであるＲＡＭ３４の一時記憶機能を利用しつつ読出専用メモリであるＲＯＭ３２に予め記憶されたプログラムに従って信号処理を行う所謂マイクロコンピュータであり、前記タッチパネルディスプレイ５４に表示された文字入力ボタンに対する入力操作に従って文字入力が実行されるように制御したり、斯かる入力操作により入力された電話番号に従って通信或いは通話チャンネルを成立させると共に相互の通信或いは通話が可能となるように制御したり、前記入力操作により入力されたＵＲＬに従って所定のウェブサイトにアクセスしたり、メールの作成及び送受信を制御する等の基本的な制御を実行する。例えば、前記携帯電話機１２の通話状態においては、前記アンテナ４０を介して送受信部４２に受けた通話信号等がモデム部４４を介して音声コーディック部４６においてデジタルコード信号から音声信号に変換され、アナログフロントエンド４８によりスピーカ５０が駆動されて音声が出力される。同時に、前記マイクロフォン５２により音声から変換された音声信号が前記アナログフロントエンド４８を介して前記音声コーディック部４６に送られてそこでディジタル信号に変換され、前記モデム部４４、送受信部４２、及びアンテナ４０を介して送信される。
【００２３】
前記シンセサイザ６４は、例えば、前記通信回線１８を介して前記サーバ装置２０からダウンロードされるカラオケデータにおける演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６４により生成された音楽信号は、前記アナログフロントエンド４８を介して前記スピーカ５０から出力される。
【００２４】
前記携帯電話機１２は、前記タッチパネルディスプレイ５４に所定の映像を表示させる表示装置５６と、その表示装置５６による表示を制御する表示制御部５８と、利用者の指や図示しない備え付けのペン等によるタッチパネルディスプレイ５４への接触により入力を行うタッチパネル６０と、そのタッチパネル６０による入力を制御する入力制御部６２とを、備えている。また、前記送受信部４２等を介して前記通信回線１８に接続され、同じくその通信回線１８に接続された前記サーバ装置２０、２２をはじめとする各種通信機器との間で情報の通信が可能とされる。また、前記通信回線１８を介しての通信状態において、前記ＣＰＵ３０は、前記タッチパネルディスプレイ５４等により入力された信号を通信先へ送信すると同時に、通信先から受信された信号をそのタッチパネルディスプレイ５４に表示させる制御を行う。すなわち、前記携帯電話機１２は、前記タッチパネルディスプレイ５４を有すると共に、そのタッチパネルディスプレイ５４を介しての操作に応じたインターネットへのアクセス機能をはじめとする各種機能を有する所謂スマートフォンである。
【００２５】
図３は、前記カラオケサービスに係るサーバ装置２０の構成を、図４は、前記ＳＮＳに係るサーバ装置２２の構成をそれぞれ説明する図である。これらの図に示すように、本実施例では、説明の便宜上、前記サーバ装置２０、２２が中央演算処理装置等の要素を等しくする同一型式のサーバである態様について説明する。すなわち、前記サーバ装置２０、２２は、中央演算処理装置であるＣＰＵ７０により随時書込読出メモリであるＲＡＭ７４の一時記憶機能を利用しつつ読出専用メモリであるＲＯＭ７２に予め記憶されたプログラムに従って信号処理を行う所謂ノイマン型コンピュータである。また、ビデオボード等の映像表示制御部７８により制御されるＴＦＴ等の映像表示装置７６と、インターフェイス８２を介して接続されるキーボード等の入力装置８０と、前記ＣＰＵ７０を前記通信回線１８に接続するための装置であるモデム８４とを、備えて構成されている。前記サーバ装置２０、２２は、このモデム８４を介して前記通信回線１８に接続されることにより、その通信回線１８に接続された前記携帯電話機１２等との間で相互に情報の送受信が可能とされている。
【００２６】
前記サーバ装置２０は、カラオケデータベース８６を備えており、前記携帯電話機１２等の情報通信端末からの配信要求に応じて、前記カラオケデータベース８６に記憶されたカラオケデータを配信元である情報通信端末に配信する制御を行う。前記カラオケデータベース８６は、前記携帯電話機１２等の情報通信端末によりカラオケ演奏を行うための多数（例えば、数万曲）のカラオケデータを記憶する記憶装置である。このカラオケデータは、各演奏曲に対応する演奏音を生成するための演奏情報及びその演奏曲の歌詞に対応する歌詞文字映像（歌詞テロップ）を生成するための歌詞情報等から成るものであり、コンテンツＩＤである各演奏曲に固有の選曲番号により識別される。前記カラオケデータは、好適には、予め定められた複数種類の楽器のうち何れかの楽器の演奏音を出力させるためのＭＩＤＩ（Musical Instrument Digital Interface）形式のデータであり、出力に係る演奏音（楽器）の種類と、各演奏音に対応して定められた楽譜情報とを、含んでいる。前記カラオケデータベース８６に記憶されたカラオケデータは、好適には、前記携帯電話機１２やタブレット１４等の携帯型情報通信端末のみならず、カラオケボックス等の店舗に設置された据置式のカラオケ装置によるカラオケ演奏にも用いられる。
【００２７】
前記サーバ装置２２は、ＳＮＳデータベース８８を備えており、前記通信システム１０の利用者を対象とするソーシャルネットワークサービス（Social Network Service）を管理運営する制御を実行する。このソーシャルネットワークサービスとは、例えば、予め会員登録された会員相互間に限定して情報の閲覧等のサービスを提供する会員制のコミュニティ型のウェブサイトをいう。なお、以下の説明において、ソーシャルネットワークサービスをＳＮＳと略称する。なお、以下の実施例においては、所定のＳＮＳを管理運営する１つのサーバ装置２２について説明するが、複数種類のＳＮＳをそれぞれ管理運営する複数のサーバ装置が前記通信回線１８に接続されたものであってもよく、前記携帯電話機１２等の携帯型情報通信端末によりそれら複数のＳＮＳに選択的にコンテンツの投稿等が可能とされたものであってもよい。
【００２８】
前記ＳＮＳデータベース８８は、前記ＳＮＳを利用する各利用者毎の情報を、その利用者の識別情報であるユーザＩＤと関連付けて記憶する記憶装置である。このＳＮＳデータベース８８には、例えば、会員登録された各利用者に対応する情報として、その利用者の名前（本名又はニックネーム）、生年月日、年齢、性別、メールアドレス、血液型、出身地、居住地、出身校（卒業校）、職場、配偶者の有無、家族、言語、宗教、座右の銘、アバタに関する情報、パスワードを忘れたときのための質問及び解答、及びＳＮＳへのログイン認証に用いられるパスワード等の各項目に関する情報が、その利用者のユーザＩＤと関連付けられて記憶されている。前記ＳＮＳデータベース８８に記憶された内容に対応するウェブサイトは、前記携帯電話機１２やパーソナルコンピュータ２４等の情報通信端末により正常なログイン認証が行われた利用者に対して閲覧可能に公開される。ここで、前記ＳＮＳデータベース８８において、各利用者に対応して記憶された情報の開示レベルは、各項目毎に個別に設定し得るように構成されており、例えば、フレンドとして登録された利用者には閲覧可能とされるが、フレンドとして登録されていない利用者には閲覧不能とされる情報が存在するといったように、閲覧する利用者に応じて前記ＳＮＳデータベース８８の公開範囲が異なる。この公開範囲については、図５等を用いて後述する。
【００２９】
前記サーバ装置２２のＣＰＵ７０は、前記ＳＮＳデータベース８８を主体とする前記ＳＮＳに関する情報登録制御を行う。具体的には、前記携帯電話機１２やパーソナルコンピュータ２４等による入力操作に応じて、前記ＳＮＳデータベース８８に新規ユーザ（利用者）の登録を行ったり、前記携帯電話機１２やパーソナルコンピュータ２４等による入力操作或いはその携帯電話機１２等からのコンテンツの投稿に応じて前記ＳＮＳデータベース８８に記憶された登録内容を変更（更新）したり、前記ＳＮＳデータベース８８に記憶された複数の利用者をフレンドとして相互に関連付けて登録したり、前記ＳＮＳデータベース８８に記憶された内容を各項目毎に予め設定された公開レベルに応じて前記通信回線１８を介して閲覧可能に公開したりというように、前記ＳＮＳの統括的な管理制御を行う。
【００３０】
図５は、前記携帯電話機１２のＣＰＵ３０、前記サーバ装置２０のＣＰＵ７０、及び前記サーバ装置２２のＣＰＵ７０にそれぞれ備えられた制御機能の要部を説明する機能ブロック線図である。この図５に示すカラオケデータ配信制御手段１００は、前記サーバ装置２０のＣＰＵ７０に、ＳＮＳ管理制御手段１０２は、前記サーバ装置２２のＣＰＵ７０に、演奏制御手段１０４、歌唱評価手段１０６、評価結果表示手段１０８、録音制御手段１１０、投稿制御手段１１２、公開範囲設定手段１１４、投稿テキスト編集手段１１６、及び投稿画像表示手段１１８は、前記携帯電話機１２のＣＰＵ３０にそれぞれ機能的に備えられたものである。
【００３１】
前記カラオケデータ配信制御手段１００は、前記携帯電話機１２等の携帯型情報通信端末からの配信要求に応じて、前記カラオケデータベース８６に記憶された配信要求に係るカラオケデータを、前記通信回線１８を介して配信元である情報通信端末に配信する。前記カラオケデータ配信制御手段１００は、予め登録された利用者に対応する前記携帯電話機１２等に対してのみ前記カラオケデータの配信を行うものであってもよい。斯かる態様において、好適には、前記カラオケデータの配信に先立ち、前記携帯電話機１２等の入力操作により、前記サーバ装置２０によるカラオケサービスへのログイン認証が行われる。このログイン認証は、例えば、各利用者のユーザＩＤ及びパスワードが前記携帯電話機１２等を介して入力されることにより前記サーバ装置２０の側で行われる。このログイン認証に係るユーザＩＤ及びパスワードは、好適には、前記ＳＮＳのログイン認証に係るユーザＩＤ及びパスワードとは異なるものであるが、共通のものが用いられてもよい。前記カラオケデータ配信制御手段１００は、前記のようにして正常にログイン認証が行われた利用者に対応する前記携帯電話機１２等の配信要求に応じて前記カラオケデータの配信を行うが、正常にログイン認証が行われていない利用者に対応する前記携帯電話機１２等の配信要求に対しては前記カラオケデータの配信を行わない。
【００３２】
前記ＳＮＳ管理制御手段１０２は、前記ＳＮＳデータベース８８を主体とする前記ＳＮＳに関する情報管理制御を行う。例えば、そのＳＮＳに関する情報登録制御を行う。具体的には、前記携帯電話機１２やパーソナルコンピュータ２４等の情報通信端末による入力操作に応じて、前記ＳＮＳデータベース８８に新規ユーザ（利用者）の登録を行ったり、前記携帯電話機１２やパーソナルコンピュータ２４等による入力操作或いはその携帯電話機１２等からのコンテンツの投稿に応じて前記ＳＮＳデータベース８８に記憶された登録内容を変更（更新）したり、前記ＳＮＳデータベース８８に記憶された複数の利用者をフレンドとして相互に関連付けて登録したり、前記ＳＮＳデータベース８８に記憶された内容を各項目毎に予め設定された公開レベルに応じて前記通信回線１８を介して閲覧可能に公開したりというように、前記ＳＮＳの統括的な管理制御を行う。
【００３３】
前記ＳＮＳ管理制御手段１０２は、好適には、各利用者に対応して前記ＳＮＳデータベース８８に記憶された情報の閲覧レベルを設定し得るものである。この閲覧レベルは、その利用者に対応して前記ＳＮＳデータベース８８に記憶された情報の、他の利用者に対する閲覧に関するものであり、例えば、第１レベル「全公開（誰であっても閲覧可能）」、第２レベル「知り合い（フレンドのフレンドまで閲覧可能）」、第３レベル「友達（フレンドは閲覧可能）」、第４レベル「自分のみ（利用者のみ閲覧可能）」というように、段階的に閲覧レベルを設定し得るものである。この閲覧レベルの設定は、好適には、各利用者に対応して前記ＳＮＳデータベース８８に記憶された名前（本名又はニックネーム）、生年月日、年齢、性別、メールアドレス、血液型、出身地、居住地、出身校（卒業校）、職場、配偶者の有無、家族、言語、宗教、座右の銘、及び後述する各投稿情報等といった項目それぞれについて個別に設定できるものである。
【００３４】
前記ＳＮＳ管理制御手段１０２は、前記ＳＮＳデータベース８８に記憶（登録）された複数の利用者をフレンドとして相互に対応付けて登録するフレンド登録制御を行う。例えば、前記携帯電話機１２やパーソナルコンピュータ２４等の情報通信端末による入力操作に応じて、前記ＳＮＳデータベース８８に記憶された対象となる利用者と、その対象となる利用者がフレンド登録を希望した他の利用者とを相互にフレンドとして対応付けて登録（記憶）する。このフレンドとは、本実施例のＳＮＳにおいて、フレンドではない不特定多数の利用者とは一線を画す関係であることを示す身分であり、前記ＳＮＳデータベース８８に記憶された所定の利用者に対応する情報のうち、公開レベルが「友達」とされた情報に関しては、その利用者のフレンドとして登録されている利用者は閲覧できるが、フレンドとして登録されていない利用者は閲覧できない。このフレンド登録に関する情報は、各利用者に関連する情報として前記ＳＮＳデータベース８８に記憶されるものであってもよいし、例えばフレンド登録された利用者それぞれのユーザＩＤを別途登録するというように前記ＳＮＳデータベース８８とは別のデータベースに記憶されるものであってもよい。また、好適には、フレンド登録の申し込みがあった場合に、一律にフレンド登録を行うのではなく、申し込まれた利用者の許可を待ってその申し込みに係るフレンド登録を行う。
【００３５】
前記ＳＮＳ管理制御手段１０２は、前記携帯電話機１２やパーソナルコンピュータ２４等の情報通信端末による入力操作に応じて、前記ＳＮＳに係るログイン認証を行う。すなわち、前記携帯電話機１２やパーソナルコンピュータ２４等の情報通信端末による入力操作に応じて前記ＳＮＳの利用者を認証し、その認証が正常に行われた場合にはその識別情報をもってその利用者のＳＮＳへのログインを許可する。具体的には、前記携帯電話機１２やパーソナルコンピュータ２４等の入力操作によりユーザＩＤ及びパスワードが入力された場合、そのユーザＩＤに対応付けられて前記ＳＮＳデータベース８８に記憶されたパスワードが入力されたものと一致するか否かを照会し、一致する場合には正常な認証を行う一方、一致しない場合にはエラーとする。
【００３６】
前記ＳＮＳ管理制御手段１０２は、前記ＳＮＳデータベース８８に記憶された情報のうち、正常にログイン認証された利用者に対応する情報を前記携帯電話機１２やパーソナルコンピュータ２４等の情報通信端末に閲覧可能に表示させる。すなわち、前記ＳＮＳデータベース８８に記憶された情報のうち、正常にログイン認証された利用者に対応する情報を、その利用者に対応する前記携帯電話機１２等の情報通信端末に対して閲覧可能に配信する。例えば、正常にログイン認証された利用者自身に対応して前記ＳＮＳデータベース８８に記憶された情報を、その利用者に対応する前記携帯電話機１２等の情報通信端末に対して閲覧可能に配信する。前記ＳＮＳデータベース８８に記憶された情報のうち、公開レベルが「自分のみ」とされた情報は、正常にログイン認証された利用者本人に対してのみ閲覧可能に表示される。
【００３７】
前記ＳＮＳ管理制御手段１０２は、好適には、前記ＳＮＳデータベース８８に記憶された情報のうち、正常にログイン認証された利用者に対応する公開範囲に含まれる情報を前記携帯電話機１２やパーソナルコンピュータ２４等の情報通信端末に閲覧可能に表示させる。例えば、前記ＳＮＳデータベース８８に記憶された複数の利用者に対応する情報のうち公開レベルが「全公開」とされた情報を閲覧可能に表示させる。また、前記正常にログイン認証された利用者のフレンドとして登録されている利用者のフレンド（フレンドのフレンド）として登録されている利用者に対応して前記ＳＮＳデータベース８８に記憶された情報であって、公開レベルが「知り合い」とされた情報を閲覧可能に表示させる。また、前記正常にログイン認証された利用者のフレンドとして登録されている利用者に対応して前記ＳＮＳデータベース８８に記憶された情報であって、公開レベルが「友達」とされた情報を閲覧可能に表示させる。前記ＳＮＳ管理制御手段１０２は、その他、前記ＳＮＳデータベース８８に記憶された情報それぞれに対応して定められた公開レベルに応じて、正常にログイン認証された利用者に対応する閲覧の制限（禁止）乃至許可を判定する。
【００３８】
前記演奏制御手段１０４は、前記携帯電話機１２によるカラオケ演奏を制御する。例えば、その携帯電話機１２における前記タッチパネルディスプレイ５４等により、カラオケ演奏を開始するための所定の操作が行われた場合、前記サーバ装置２０のカラオケデータベース８６からそのカラオケ演奏の対象となるカラオケデータをダウンロードし、そのカラオケデータに基づいて演奏曲の出力を制御する。具体的には、前記カラオケデータに含まれる演奏情報に基づいて演奏曲の出力を制御する。すなわち、演奏情報としてのＭＩＤＩデータに基づいて、前記シンセサイザ６４によりそのＭＩＤＩデータにおける楽譜情報としてのトラック乃至チャンネルに対応する楽器の演奏音（音楽情報）を出力させ、前記アナログフロントエンド４８等を介して前記スピーカ５０から出力させる。また、前記カラオケデータに含まれる歌詞情報に基づいて演奏曲に係る歌詞文字映像の出力を制御する。すなわち、歌詞情報に基づいて歌詞文字映像を生成し、前記表示制御部５８等を介してその歌詞文字映像を前記タッチパネルディスプレイ５４に表示させる。また、カラオケ演奏の進行に伴い、その歌詞文字映像を切替表示させると共に、歌詞色替情報に基づいて歌詞文字映像を順次色替え表示させる。
【００３９】
前記歌唱評価手段１０６は、前記演奏制御手段１０４によるカラオケデータに基づく演奏出力に際して、そのカラオケデータに係る模範歌唱データと音声入力部である前記マイクロフォン５２から入力される音声情報とを比較することにより、その音声情報に対応する歌唱を評価する。例えば、前記演奏制御手段１０４による演奏曲の出力に際して、前記シンセサイザ６４によるその演奏曲の出力と併行して前記マイクロフォン５２から入力される音声に対応して、音程、音量、及びテンポのうち少なくとも１つを評価基準とする評価を行う。具体的には、所定の演奏曲の出力に際して、前記シンセサイザ６４を介して出力されるその演奏曲のピッチ（音程）及びテンポと、前記マイクロフォン５２により入力される音声情報のピッチ及びテンポとを比較することにより斯かる演奏曲の演奏評価を行う。前記模範歌唱データとしては、対象となる演奏情報におけるガイドメロディすなわち主旋律に相当する楽譜情報を基準とするものが好適に用いられる。前記演奏評価の態様としては、例えば、百点満点中何点というように数値的に採点を行うものであってもよいし、２０段階評定の何れに当てはまるかを判定するというように簡易なものであってもよい。また、好適には、前記サーバ装置２０等を介して複数の前記携帯電話機１２等の携帯型情報通信端末それぞれにおける前記歌唱評価手段１０６による評価結果を集計し、広域的な採点ランキング例えば全国ランキングの結果を算出するものであってもよい。斯かる採点ランキングの集計は、好適には、前記サーバ装置２０のＣＰＵ７０により実行される。
【００４０】
前記歌唱評価手段１０６は、好適には、前記評価の対象となるカラオケデータにおける所定区間毎の前記模範歌唱データと前記マイクロフォン５２から入力される音声情報とを比較することにより、その音声情報に対応する歌唱を前記所定区間毎に評価する。前記所定区間は、例えば１０秒毎というように予め定められた規定の時間が経過する毎であってもよいが、対象となる演奏情報のテンポに基づいて所定数の小節が経過する毎や、或いはＡメロ、Ｂメロといった演奏区分に対応するものであってもよい。前記歌唱評価手段１０６による評価制御は、演奏と併行して各区分毎に複数回行われた評価を、演奏終了時に集計するものであってもよいし、前記ＲＡＭ３４等に入力音声情報を記録しておき、演奏終了時にそれを対象となる演奏曲の演奏情報に基づいて評価するものであってもよい。
【００４１】
前記録音制御手段１１０は、前記演奏制御手段１０４によるカラオケデータに基づく演奏出力に際して、前記マイクロフォン５２から入力される音声情報を録音する。例えば、前記マイクロフォン５２から入力される音声情報を前記ＲＡＭ３４等に記憶しておき、演奏終了後に例えばＭＰＥＧ（Moving Picture Experts Group）形式等の音楽データとして記憶する。好適には、前記歌唱評価手段１０６による評価の対象となったカラオケデータの演奏出力に際して、前記マイクロフォン５２から入力される音声情報を録音する。すなわち、前記演奏制御手段１０４によるカラオケデータに基づく演奏出力に際して、その演奏を対象とする前記歌唱評価手段１０６による評価が行われる場合には、前記マイクロフォン５２から入力される音声情報を録音する。
【００４２】
前記評価結果表示手段１０８は、前記歌唱評価手段１０４による評価結果を含む画像を表示部としての前記タッチパネルディスプレイ５４（表示装置５６）に表示させる。図６は、前記携帯電話機１６のタッチパネルディスプレイ５４に表示される前記歌唱評価手段１０４による評価結果を含む画像１２０の一例を示す図である。この図６に示すように、前記評価結果表示手段１０８は、好適には、前記歌唱評価手段１０４による評価結果を含む画像１２０として、前記歌唱評価手段１０４による評価結果（採点結果としての点数）１２２、前記歌唱評価手段１０４による評価結果に対応する広域的な採点ランキングの結果１２４、及び前記歌唱評価手段１０４による前記所定区間毎の評価結果に対応するグラフ１２６等を含む画像１２０を前記タッチパネルディスプレイ５４に表示させる。
【００４３】
前記評価結果を含む画像１２０は、好適には、前記歌唱評価手段１０４による評価結果に係る画像以外の画像を含む。例えば、図６に示すように、前記演奏制御手段１０４による演奏出力の継続に係る部分画像（例えば、カラオケデータに基づくカラオケ演奏を行うアプリケーションソフトウェアに係る部分画像）として、前記評価結果を含む画像１２０が表示される前に前記タッチパネルディスプレイ５４に表示されていた画像（画面）に戻るための操作に係るＢＡＣＫボタン１２８、前記演奏制御手段１０４による演奏出力の開始に際して前記タッチパネルディスプレイ５４に表示されていた画像（画面）に戻るための操作に係るＴＯＰボタン１３０、前記演奏制御手段１０４による演奏出力された（演奏出力が終了した）カラオケデータに基づく演奏出力をもう一度繰り返すための操作に係る再チャレンジボタン１３２、前記演奏制御手段１０４による演奏出力されたカラオケデータに基づく演奏出力に係る前記歌唱評価手段１０４による評価結果に対応する広域的な採点ランキングを取得するための操作に係る採点ランキングボタン１３４、及び前記演奏制御手段１０４による演奏出力されたカラオケデータを前記記憶部３６等に記憶するための操作に係るこの曲を保存ボタン１３６等が表示される。前記タッチパネル６０を介して前記ＢＡＣＫボタン１２８、ＴＯＰボタン１３０、再チャレンジボタン１３２、採点ランキングボタン１３４、この曲を保存ボタン１３６に対する接触入力操作が行われた場合、前記各ボタンに対応する処理が実行される。
【００４４】
また、前記評価結果を含む画像１２０は、好適には、図６に示すように、前記演奏制御手段１０４による演奏出力の主体となった利用者すなわち前記歌唱評価手段１０４による評価の対象となった利用者に対応するアバタ（avatar）画像１３８及び後述するＳＮＳへの投稿処理を開始するための操作に係る吹き出しボタン１４０を含む。このアバタとは、インターネットにおけるチャット等に際して利用者の分身的な意味合いで表示される簡易的な人型映像であり、そのチャットにおける会話の流れに応じてその表情を変化させること等により、利用者の心象を視覚的に相手に伝えるコミュニケーションの補助ツールとして用いられるものである。前記アバタ画像１３８は、前記評価の対象となった利用者に対応して前記ＳＮＳデータベース８８に記憶されたアバタに関する情報が読み出され、その情報に基づいて表示されるものであってもよいが、前記カラオケサービスに係るアバタとして、前記評価の対象となった利用者に対応して前記サーバ装置２０の記憶装置等に記憶されたアバタが用いられてもよい。
【００４５】
前記投稿制御手段１１２は、予め前記携帯電話機１２に登録されたＳＮＳへの投稿を制御する。この携帯電話機１２に予め登録されたＳＮＳとは、例えば前記携帯電話機１２にインストールされたアプリケーションソフトウェア（アプリ）に対応するＳＮＳであり、好適には、インターネット上に存在する複数種類のＳＮＳのうち投稿の対象となる少なくとも１種類のＳＮＳが予め定められたものである。具体的には、前記演奏制御手段１０４によりカラオケ演奏を行うためのアプリケーションソフトウェアに組み込まれたＡＰＩ（Application Programming Interface）に対応するＳＮＳである。前記投稿制御手段１１２は、好適には、前記歌唱評価手段１０４による評価結果に係る情報の、予め前記携帯電話機１２に登録されたＳＮＳへの投稿を制御する。例えば、前述した図６に示す前記評価結果を含む画像１２０中に表示された、前記吹き出しボタン１４０に対する接触入力操作が行われた場合、図７〜図９を用いて以下に詳述するように、前記タッチパネルディスプレイ５４に表示された前記画像１２０のうち前記演奏出力の継続に係る部分画像を除外し、且つ前記携帯電話機１２によるカラオケ演奏の利用記録に係る情報を付加した投稿画像を対象となるＳＮＳへ投稿する。
【００４６】
図７は、図６に示す前記評価結果を含む画像１２０中に表示された、前記吹き出しボタン１４０に対する接触入力操作が行われた場合に前記タッチパネルディスプレイ５４（表示装置５６）に表示される、その評価結果に係るＳＮＳへの投稿準備画面１４２を例示する図である。この図７に示すように、前記投稿準備画面１４２には、好適には、前記ＳＮＳへの投稿の対象となる投稿画像（縮小版）１４４、前記ＳＮＳへの投稿の対象となるテキスト情報を表示させるテキストボックス１４６、そのテキストボックス１４６におけるテキスト情報を編集するための操作に係る編集ボタン１４８、前記ＳＮＳへ投稿される情報の公開レベルの設定を行うための操作に係る公開レベル設定ボタン１５０、投稿の対象となるＳＮＳを選択するための操作に係る投稿ＳＮＳ選択ボックス１５２、及び前記投稿準備画面１４２に表示された内容で前記ＳＮＳへの投稿を行うための操作に係る送信ボタン１５４等が含まれる。
【００４７】
前記投稿準備画面１４２における前記投稿ＳＮＳ選択ボックス１５２においては、その投稿準備画面１４２に対応する情報の投稿対象となるＳＮＳを選択することができるようになっている。すなわち、図７に示す投稿ＳＮＳ選択ボックス１５２においては、予め登録された３種類のＳＮＳすなわち第１のＳＮＳ「Flutter」、第２のＳＮＳ「Peacebook」、及び第３のＳＮＳ「moxie」それぞれに対する投稿の可否を選択できるようになっている。例えば、図７に示す投稿ＳＮＳ選択ボックス１５２においては、第１のＳＮＳ「Flutter」及び第２のＳＮＳ「Peacebook」が「オン」に設定され、第３のＳＮＳ「moxie」が「オフ」に設定されている。斯かる状態において、前記送信ボタン１５４に対する接触入力操作が行われると、前記投稿準備画面１４２に表示された内容で第１のＳＮＳ「Flutter」及び第２のＳＮＳ「Peacebook」への投稿が行われるが、第３のＳＮＳ「moxie」への投稿は行われない。なお、前記送信ボタン１５４に対する接触入力操作が行われた時点において、投稿対象となるＳＮＳに対するログイン認証（後述する図１３等を参照）が行われていない場合には、その時点で斯かるＳＮＳに対するログイン認証が行われ、正常にログインが行われた場合に前記投稿が行われる。
【００４８】
図８は、図６に示す前記評価結果を含む画像１２０に対応する、前記ＳＮＳへの投稿画像１４４を例示する図である。前記投稿制御手段１１２は、好適には、前記吹き出しボタン１４０に対する接触入力操作が行われた場合、前記評価結果を含む画像１２０のうち前記演奏制御手段１０４による演奏出力の継続に係る部分画像を除外し、且つ前記携帯電話機１２によるカラオケ演奏の利用記録に係る情報を付加した投稿画像１４４を作成して対象となるＳＮＳへ投稿する。例えば、図８に示すように、図６に示す画像１２０をキャプチャし、そのキャプチャされた画像から前記演奏制御手段１０４による演奏出力の継続に係る部分画像である前記ＢＡＣＫボタン１２８、ＴＯＰボタン１３０、再チャレンジボタン１３２、採点ランキングボタン１３４、この曲を保存ボタン１３６、及びＳＮＳへの投稿処理を開始するための操作に係る前記吹き出しボタン１４０が排除（削除）される。そして、前記各部分画像が排除された画像に、前記携帯電話機１２によるカラオケ演奏の利用記録に係る情報である演奏記録１５６及び演奏出力に係るアプリケーションソフトウェアを表すシンボルマーク１５８等が付加され、前記ＳＮＳへの投稿対象となる投稿画像１４４が作成される。前記演奏記録１５６は、好適には、前記歌唱評価手段１０６による評価の対象となったカラオケデータに対応する演奏出力が行われた時間情報、前記カラオケデータに対応する曲名、及び前記カラオケデータに対応する歌手名等を含む。図８に示すように、前記投稿画像１４４は、好適には、前記歌唱評価手段１０６による評価結果に係る情報として前記評価結果１２２、採点ランキングの結果１２４、及びグラフ１２６等を含む。また、好適には、前記評価結果を含む画像１２０に表示されていた、前記歌唱評価手段１０６による評価の対象となった利用者に対応するアバタ画像１３８を含む
【００４９】
前記投稿準備画面１４２における前記テキストボックス１４６においては、その投稿準備画面１４２に対応する投稿の対象となるテキストが表示される。本実施例においては、前記評価結果を含む画像１２０において前記吹き出しボタン１４０に対する接触入力操作が行われた場合、その画像１２０に対応する前記歌唱評価手段１０６による評価の対象となったカラオケ演奏の利用記録に係るテキスト情報が自動的に抽出され、前記テキストボックス１４６内に表示される。このテキスト情報は、好適には、前記歌唱評価手段１０６による評価の対象となったカラオケデータに対応する演奏出力が行われた時間情報（例えば日時）、前記歌唱評価手段１０６による評価結果（例えば点数）、前記カラオケデータに対応する曲名、及び前記カラオケデータに対応する歌手名等を含む。前記投稿制御手段１１２は、好適には、前記投稿準備画面１４２において前記送信ボタン１５４に対する接触入力操作が行われた場合、対象となるＳＮＳへの前記投稿画像１４４の投稿に相前後して、前記テキストボックス１４６内に表示されたテキスト情報を、前記投稿画像１４４と対応付けて前記ＳＮＳへ投稿する。
【００５０】
図５に示す前記投稿テキスト編集手段１１６は、前記携帯電話機１２における前記タッチパネルディスプレイ５４（タッチパネル６０）等による入力操作に応じて、投稿対象となる前記テキスト情報を編集する。例えば、図７に示す前記投稿準備画面１４２において前記編集ボタン１４８に対する接触入力操作が行われた場合、前記テキストボックス１４６内におけるテキスト情報を編集するための編集画面を前記タッチパネルディスプレイ５４（表示装置５６）に表示させ、前記タッチパネル６０を介してそのテキスト情報の編集を受け付ける。そのようにして前記テキストボックス１４６内におけるテキスト情報の編集が行われた場合、前記投稿制御手段１１２は、対象となるＳＮＳへの前記投稿画像１４４の投稿に相前後して、前記テキストボックス１４６内に表示された編集後のテキスト情報を、前記投稿画像１４４と対応付けて前記ＳＮＳへ投稿する。
【００５１】
前記投稿制御手段１１２は、好適には、前記投稿準備画面１４２において前記送信ボタン１５４に対する接触入力操作が行われた場合、対象となるＳＮＳへの前記投稿画像１４４の投稿に相前後して、前記歌唱評価手段１０６による評価の対象となったカラオケデータの演奏出力に際して前記録音制御手段１１０により録音された音声データを、前記投稿画像１４４と対応付けて前記ＳＮＳへ投稿する。好適には、前記録音制御手段１１０により録音された音声データの投稿の可否を設定し得るものであってもよく、前記投稿制御手段１１２は、好適には、前記録音制御手段１１０により録音された音声データの投稿が行われる設定とされている場合には、対象となるＳＮＳへの前記投稿画像１４４の投稿に相前後して、前記録音制御手段１１０により録音された音声データを、前記投稿画像１４４と対応付けて前記ＳＮＳへ投稿する。
【００５２】
図５に示す前記公開範囲設定手段１１４は、前記投稿制御手段１１２による投稿の、前記ＳＮＳにおける公開範囲を設定する。例えば、前記投稿準備画面１４２に対応する投稿の対象となる情報が、対象となるＳＮＳへ投稿された際における、その情報の斯かるＳＮＳにおける公開範囲を設定する。ここで、前記公開範囲設定手段１１４により設定される公開範囲は、必ずしも投稿後のＳＮＳにおける実際の公開範囲を定めるものではなく、前記ＳＮＳへの投稿に際しては、そのＳＮＳ側（すなわちサーバ装置２２におけるＳＮＳ管理制御手段１０２）において改めてその情報に係る公開範囲（公開レベル）の設定が行われる。すなわち、前記公開範囲設定手段１１４は、好適には、前記投稿制御手段１１２による投稿対象となる情報、特に前記投稿画像１４４を、投稿後のＳＮＳにおける公開範囲に整合させるために、投稿元となる前記携帯電話機１２側で便宜的に投稿範囲を設定するものである。例えば、前記投稿準備画面１４２において前記公開レベル設定ボタン１５０に対する接触入力操作が行われた場合、公開範囲を選択するための画面を前記タッチパネルディスプレイ５４（表示装置５６）に表示させ、前記タッチパネル６０を介して選択を受け付ける。例えば、前記投稿準備画面１４２に対応する投稿の公開範囲を、「全公開」、「友達」、「知り合い」、「自分のみ」、「職場」、「学校」、及び「家族」の何れかに設定できる。ここで、複数種類のＳＮＳにおいて、公開範囲（公開レベル）の設定は必ずしも統一的な規格が設けられたものではないが、それぞれのＳＮＳにおいて「全公開」に対応する公開レベル、「友達」に対応する公開レベルといったものが存在するため、好適には、そのような共通のくくりで考えられる公開範囲が予め定められ、前記公開範囲設定手段１１４による設定の対象とされる。
【００５３】
前記投稿制御手段１１２は、好適には、前記公開範囲設定手段１１４により設定される公開範囲に応じて、前記投稿画像１４４に付加される前記カラオケ演奏の利用記録に係る情報の範囲を変更する。図９は、前記公開範囲設定手段１１４により設定される公開範囲と、前記投稿画像１４４に付加される前記カラオケ演奏の利用記録に係る情報の範囲との関係の一例を示す図である。この図９に示す例では、前記公開範囲設定手段１１４により設定される公開範囲が「全公開」である場合、前記カラオケ演奏の利用記録に係る情報として前記カラオケデータに係る「曲名」及び「歌手名」が前記演奏記録１５６等として前記投稿画像１４４に付加される。前記公開範囲設定手段１１４により設定される公開範囲が「知り合い」又は「職場」である場合、前記カラオケ演奏の利用記録に係る情報として「曲名」及び「歌手名」、及び前記演奏制御に係るアプリケーションソフトウェア名である「アプリ名」が前記演奏記録１５６等として前記投稿画像１４４に付加される。前記公開範囲設定手段１１４により設定される公開範囲が「学校」又は「家族」である場合、前記カラオケ演奏の利用記録に係る情報として「曲名」、「歌手名」、「アプリ名」、及び前記カラオケデータに対応する演奏出力が行われた時間情報である「歌唱日時」が前記演奏記録１５６等として前記投稿画像１４４に付加される。前記公開範囲設定手段１１４により設定される公開範囲が「友達」又は「自分のみ」である場合、前記カラオケ演奏の利用記録に係る情報として「曲名」、「歌手名」、「アプリ名」、「歌唱日時」、及び前記携帯電話機１２に備えられたＧＰＳ（Global Positioning System）等により検出される「位置情報」が前記演奏記録１５６等として前記投稿画像１４４に付加される。
【００５４】
また、前記投稿制御手段１１２は、好適には、前記公開範囲設定手段１１４により設定される公開範囲に応じて、前記投稿画像１４４に付加される前記歌唱評価手段１０６による評価結果に係る情報の範囲を変更する。また、好適には、前記公開範囲設定手段１１４により設定される公開範囲に応じて、前記投稿画像１４４における前記アバタ画像１３８の有無を変更する。例えば、前記公開範囲設定手段１１４により設定される公開範囲が「友達」又は「自分のみ」である場合には、図８に示すように、前記歌唱評価手段１０６による評価結果に係る情報として前記評価結果１２２、採点ランキングの結果１２４、及びグラフ１２６、及び前記歌唱評価手段１０６による評価の対象となった利用者に対応するアバタ画像１３８が前記投稿画像１４４に付加される。前記公開範囲設定手段１１４により設定される公開範囲が「知り合い」又は「職場」である場合には、図１０に示す投稿画像１６０のように、前記評価結果１２２、採点ランキングの結果１２４、及びグラフ１２６は付加されるが、前記利用者に対応するアバタ画像１３８は前記投稿画像１６０に付加されない。前記公開範囲設定手段１１４により設定される公開範囲が「全公開」である場合には、図１１に示す投稿画像１６２のように、前記評価結果１２２及び採点ランキングの結果１２４は付加されるが、前記グラフ及び前記利用者に対応するアバタ画像１３８は前記投稿画像１６２に付加されない。
【００５５】
前記投稿画像表示手段１１８は、好適には、前記ＳＮＳにおける公開範囲それぞれに対応して、前記投稿画像１４４等に付加される前記カラオケ演奏の利用記録に係る情報の範囲がそれぞれ異なる複数パターンの前記投稿画像１４４等を選択可能に前記タッチパネルディスプレイ５４（表示装置５６）に表示させる。例えば、前記タッチパネルディスプレイ５４に、図８に示すような投稿画像１４４、図１０に示すような投稿画像１６０、及び図１１に示すような投稿画像１６２を前記タッチパネル６０による選択可能に表示させる。前記投稿制御手段１１２は、好適には、前記タッチパネルディスプレイ５４に表示された複数パターンの投稿画像１４４、１６０、１６２等の何れかに対する前記タッチパネル６０を介しての接触入力操作が行われた場合、その投稿画像を前記ＳＮＳへ投稿する。ここで、前記投稿画像表示手段１１８により表示された投稿画像に対応する公開範囲が、必ずしも投稿後のＳＮＳにおける実際の公開範囲に対応するものでないことは前述の通りである。
【００５６】
ここで、前記投稿画像の前記ＳＮＳへの投稿に際して、投稿主体である利用者に対して設定された「友達」、「知り合い」、「職場」、「学校」、「家族」等のつながり情報すなわち前記ＳＮＳにおいて各関係に設定された利用者の情報を取得し、各つながり情報に対応した投稿画像を各関係の利用者へ投稿するように制御するものであってもよい。例えば、投稿主体である利用者に対して「友達」として設定された他の利用者のマイページ（ＳＮＳ上でその利用者のウェブサイトとして設定されたページ）に、公開レベル「友達」に対応して作成された投稿画像をアップロードする一方、「知り合い」として設定された更に別の利用者のマイページには、公開レベル「知り合い」に対応して作成された投稿画像をアップロードする等の態様も考えられる。具体的には、ＳＮＳにおけるニュースフィード等に前記投稿画像がアップロードされる。このようにすれば、前記投稿画像１４４等の投稿に際して、利用者が公開範囲をわざわざ設定しなくとも、各関係に定められた利用者のマイページに適切な投稿画像を投稿することができる。
【００５７】
図１２は、図７に示す前記投稿準備画面１４２に対応して投稿された投稿画像１４４及びテキスト情報等が、投稿後のＳＮＳにおいて公開された様子を例示する図である。この図１２に示す例では、前記ＳＮＳに係る画面（ＳＮＳに対応するウェブサイト）１６４において、前記携帯電話機１２から投稿された前記投稿画像１４４が表示されている。また、その投稿画像１４４に対応付けられて投稿されたテキスト情報が、投稿テキスト１６６として前記投稿画像１４４の近傍に表示されている。また、前記投稿画像１４４に対応付けられて投稿された音楽データを再生するためのプレイヤ１６８がその投稿画像１４４の近傍に表示されている。なお、図１２に示す画面１６４は、前記ＳＮＳにおいて公開レベル「フレンド」に設定されたものであり、投稿主体である利用者のフレンドとしてそのＳＮＳに登録された利用者は閲覧できるが、フレンドとして登録されていない利用者は閲覧することができない。
【００５８】
図１３は、前記携帯電話機１２のＣＰＵ３０によるＳＮＳログイン制御の要部を説明するフローチャートであり、所定の周期で繰り返し実行されるものである。
【００５９】
先ず、ステップ（以下、ステップを省略する）ＳＳ１において、前記携帯電話機１２における前記タッチパネルディスプレイ５４（タッチパネル６０）等を介して、その携帯電話機１２に予めに登録された所定のＳＮＳに対するログイン認証開始操作が行われたか否かが判断される。このＳＳ１の判断が否定される場合には、それをもって本ルーチンが終了させられるが、ＳＳ１の判断が肯定される場合には、ＳＳ２において、前記タッチパネルディスプレイ５４等を介して、前記ＳＮＳのログイン認証に係るユーザＩＤ及びパスワードの入力が受け付けられる。次に、ＳＳ３において、ＳＳ２にて入力されたユーザＩＤ及びパスワードが前記通信回線１８を介して前記サーバ装置２２へ送信され、そのサーバ装置２２のＳＮＳデータベース８８に記憶された内容と照会される。すなわち、入力されたユーザＩＤに対応して前記ＳＮＳデータベース８８に正しいパスワードが記憶されているか否かが判定され、その判定結果が前記携帯電話機１２へ返信される。次に、ＳＳ３において、例えば前記サーバ装置２２からの返信に基づいて、ＳＳ２にて入力されたユーザＩＤ及びパスワードが正しかったか否かが判断される。このＳＳ３の判断が肯定される場合には、ＳＳ４において、対象となるＳＮＳに対して正常にログインが行われた後、本ルーチンが終了させられるが、ＳＳ３の判断が否定される場合には、前記ＳＮＳに対するログインは行われず、ＳＳ５において、前記タッチパネルディスプレイ５４にエラーが表示された後、本ルーチンが終了させられる。
【００６０】
図１４は、前記携帯電話機１２のＣＰＵ３０によるカラオケ演奏／評価結果投稿制御の要部を説明するフローチャートであり、所定の周期で繰り返し実行されるものである。
【００６１】
先ず、Ｓ１において、前記携帯電話機１２における前記タッチパネルディスプレイ５４（タッチパネル６０）等を介して、所定の楽曲（演奏曲）のカラオケ演奏を開始する操作が行われたか否かが判断される。このＳ１の判断が否定される場合には、それをもって本ルーチンが終了させられるが、Ｓ１の判断が肯定される場合には、Ｓ２において、前記通信回線１８を介して前記サーバ装置２０のカラオケデータベース８６からカラオケ演奏の対象となるカラオケデータがダウンロードされ、そのカラオケデータに基づいて演奏曲の出力が開始される。また、設定に応じて前記マイクロフォン５２から入力される音声情報の録音が開始される。次に、Ｓ３において、歌唱評価を行うタイミングであるか否か、すなわち評価の対象となるカラオケデータにおける所定区間が経過したか否かが判断される。このＳ３の判断が否定される場合には、Ｓ５以下の処理が実行されるが、Ｓ３の判断が肯定される場合には、Ｓ４以下の処理が実行される。
【００６２】
Ｓ４においては、評価の対象となるカラオケデータにおける所定区間に対応する歌唱評価が行われる。すなわち、前記カラオケデータに係る模範歌唱データと前記マイクロフォン５２から入力される音声情報とが比較されることにより、その音声情報に対応する歌唱が評価される。次に、Ｓ５において、前記カラオケデータに対応するカラオケ演奏が終了したか否かが判断される。このＳ５の判断が否定される場合には、Ｓ３以下の処理が再び実行されるが、Ｓ５の判断が肯定される場合には、Ｓ６において、演奏終了に係るカラオケデータのＳ４における評価結果が集計され、演奏を通しての総合評価結果が算出されると共に、その評価結果を示す図６に示すような画像１２０が前記タッチパネルディスプレイ５４に表示される。また、前記マイクロフォン５２から入力される音声情報の録音が終了させられる。
【００６３】
次に、Ｓ７において、前記タッチパネルディスプレイ５４に表示された前記評価結果を示す画像１２０を、所定のＳＮＳに投稿するための操作が行われたか否かが判断される。例えば、前記タッチパネル６０を介して、図６に示す画像１２０に含まれる前記吹き出しボタン１４０に対する接触入力操作が行われたか否かが判断される。このＳ７の判断が否定される場合には、それをもって本ルーチンが終了させられるが、Ｓ７の判断が肯定される場合には、Ｓ８において、前記評価結果を示す画像１２０に対応する図７に示すような投稿準備画面１４２が前記タッチパネルディスプレイ５４に表示される。すなわち、前記評価結果を示す画像１２０のうち不要な部分を削除し、盛り込むべき部分を追加した投稿画像１４４等の縮小版を含む投稿準備画面１４２が前記タッチパネルディスプレイ５４に表示される。好適には、前記投稿準備画面１４２において設定されたＳＮＳにおける公開範囲それぞれに対応して、前記投稿画像に付加される前記カラオケ演奏の利用記録に係る情報の範囲がそれぞれ異なる複数パターンの前記投稿画像が前記タッチパネルディスプレイ５４に選択可能に表示される。
【００６４】
次に、Ｓ９において、前記タッチパネルディスプレイ５４に表示された図７に示すような投稿準備画面１４２において、投稿テキストすなわち前記テキストボックス１４６内に表示されたテキスト情報の編集が受け付けられる。次に、Ｓ１０において、前記タッチパネルディスプレイ５４に表示された投稿準備画面１４２に対応する公開レベルを変更するための操作が行われたか否か、例えば前記公開レベル設定ボタン１５０における設定を変更する操作が行われたか否かが判断される。このＳ１０の判断が肯定される場合には、新たに設定された公開範囲に対応して投稿画像が更新され、Ｓ８以下の処理が再び実行されるが、Ｓ１０の判断が否定される場合には、Ｓ１１において、前記タッチパネルディスプレイ５４に表示された前記送信ボタン１５４に対する接触入力操作が行われる等して前記投稿準備画面１４２に対応する情報の投稿が実行されたか否かが判断される。このＳ１１の判断が否定される場合には、それをもって本ルーチンが終了させられるが、Ｓ１１の判断が肯定される場合には、Ｓ１２において、前記投稿準備画面１４２に対応する情報すなわち前記投稿画像１４４、前記テキストボックス１４６内に表示されたテキスト情報、及び録音された音楽データ等が対象となるＳＮＳすなわち前記投稿準備画面１４２において設定されたＳＮＳへ投稿された後、本ルーチンが終了させられる。
【００６５】
以上、図１４に示す制御において、Ｓ２、Ｓ２及びＳ５が前記演奏制御手段１０４の処理に、Ｓ３及びＳ４が前記歌唱評価手段１０６の処理に、Ｓ６が前記評価結果表示手段１０８の処理に、Ｓ２及びＳ６が前記録音制御手段１１０の処理に、Ｓ７〜Ｓ１２が前記投稿制御手段１１２の処理に、Ｓ１０が前記公開範囲設定手段１１４の処理に、Ｓ９が前記投稿テキスト編集手段１１６の処理に、Ｓ８が前記投稿画像表示手段１１８の処理に、それぞれ対応する。
【００６６】
このように、本実施例によれば、所定のカラオケデータの演奏出力に際して、そのカラオケデータに係る模範歌唱データと音声入力部である前記マイクロフォン５２から入力される音声情報とを比較することにより、その音声情報に対応する歌唱を評価する歌唱評価手段１０６（Ｓ３及びＳ４）と、その歌唱評価手段１０６による評価結果を含む画像１２０を表示部としての前記タッチパネルディスプレイ５４に表示させる評価結果表示手段１０８（Ｓ６）と、携帯型情報通信端末としての前記携帯電話機１２に予め登録されたＳＮＳへの投稿を行うための操作が行われた場合、前記タッチパネルディスプレイ５４に表示された画像１２０のうち前記演奏出力の継続に係る部分画像を除外し、且つ前記携帯電話機１２によるカラオケ演奏の利用記録に係る情報を付加した投稿画像１４４等を前記ＳＮＳへ投稿する投稿制御手段１１２（Ｓ７〜Ｓ１２）とを、備えたものであることから、前記携帯電話機１２によるカラオケ演奏に際してそのタッチパネルディスプレイ５４に表示される画像１２０のうち不要な部分を削除し、盛り込むべき部分を追加した前記カラオケ演奏の評価結果を示す投稿画像１４４等を、前記ＳＮＳに簡便に投稿することができる。すなわち、カラオケ演奏の評価結果を簡便にＳＮＳに投稿する携帯電話機１２を提供することができる。
【００６７】
特に、本実施例によれば、前記評価結果を含む画像１２０に含まれる吹き出しボタン１４０に対する接触入力操作により、前記携帯電話機１２によるカラオケ演奏を継続する処理なのか、或いは前記評価結果を含む画像１２０を記録乃至投稿する処理なのかを利用者の選択によって明示するすることができ、その選択に応じて投稿対象となるＳＮＳ上でのカラオケ利用記録情報として最適な投稿画像１４４等を作成する点が、前記携帯電話機１２等の携帯型情報通信端末によるカラオケ演奏制御とＳＮＳとを連携させるシステムとして顕著な効果を奏する。
【００６８】
また、好適には、前記投稿制御手段１１２による投稿の、前記ＳＮＳにおける公開範囲を設定する公開範囲設定手段１１４（Ｓ１０）を備え、前記投稿制御手段１１２は、前記公開範囲設定手段１１４により設定される公開範囲に応じて、前記投稿画像１４４等に付加される前記カラオケ演奏の利用記録に係る情報の範囲を変更するものであるため、対象となる投稿の公開範囲に応じて適切な情報を盛り込んだ前記投稿画像１４４等を簡便に前記ＳＮＳに投稿することができる。
【００６９】
また、好適には、前記ＳＮＳにおける公開範囲それぞれに対応して、前記投稿画像１４４等に付加される前記カラオケ演奏の利用記録に係る情報の範囲がそれぞれ異なる複数パターンの前記投稿画像１４４等を選択可能に前記タッチパネルディスプレイ５４に表示させる投稿画像表示手段１１８（Ｓ８）を備え、前記投稿制御手段１１２は、前記タッチパネルディスプレイ５４に表示された複数パターンの投稿画像１４４等の何れかに対する入力操作が行われた場合、その投稿画像１４４等を前記ＳＮＳへ投稿するものであるため、対象となる投稿の公開範囲に応じて適切な情報を盛り込んだ前記投稿画像１４４等を前記ＳＮＳに簡便に投稿することができる。
【００７０】
また、好適には、前記カラオケ演奏の利用記録に係る情報は、前記歌唱評価手段１０６による評価の対象となったカラオケデータに対応する演奏出力が行われた時間情報、前記カラオケデータに対応する曲名、及び前記カラオケデータに対応する歌手名のうち少なくとも１つを含むものであるため、評価の対象となったカラオケ演奏に対応して適切な情報を盛り込んだ前記投稿画像１４４等を前記ＳＮＳに簡便に投稿することができる。
【００７１】
また、好適には、前記投稿画像１４４等は、前記歌唱評価手段１０６による評価の対象となった利用者に対応するアバタ画像１３８を含むものであるため、前記カラオケ演奏を行った利用者を象徴するアバタ画像１３８を含む前記投稿画像１４４等を前記ＳＮＳに簡便に投稿することができる。
【００７２】
また、好適には、前記歌唱評価手段１０６は、前記評価の対象となるカラオケデータにおける所定区間毎の前記模範歌唱データと前記マイクロフォン５２から入力される音声情報とを比較することにより、その音声情報に対応する歌唱を前記所定区間毎に評価するものであり、前記投稿画像１４４等は、前記歌唱評価手段１０６による前記所定区間毎の評価結果に対応するグラフ１２６を含むものであるため、前記カラオケ演奏の区間毎の詳細な評価結果を含む前記投稿画像１４４等を前記ＳＮＳに簡便に投稿することができる。
【００７３】
また、好適には、前記投稿制御手段１１２は、前記投稿画像１４４等の投稿に相前後して、前記歌唱評価手段１０６による評価の対象となったカラオケ演奏の利用記録に係るテキスト情報を、前記投稿画像１４４等と対応付けて前記ＳＮＳへ投稿するものであるため、前記投稿画像１４４等に加えて、前記ＳＮＳにおける投稿のコメント等に相当するテキスト情報を簡便に投稿することができる。
【００７４】
また、好適には、前記テキスト情報は、前記歌唱評価手段１０６による評価の対象となったカラオケデータに対応する演奏出力が行われた時間情報、前記歌唱評価手段１０６による評価結果、前記カラオケデータに対応する曲名、及び前記カラオケデータに対応する歌手名のうち少なくとも１つを含むものであるため、前記投稿画像１４４等に加えて、前記ＳＮＳにおける投稿のコメント等に相当する、評価の対象となったカラオケ演奏に対応する適切なテキスト情報を簡便に投稿することができる。
【００７５】
また、好適には、前記携帯電話機１２による入力操作に応じて、前記テキスト情報を編集する投稿テキスト編集手段１１６（Ｓ９）を備えたものであるため、前記投稿画像１４４等に加えて、前記ＳＮＳにおける投稿のコメント等に相当する、評価の対象となったカラオケ演奏に対応する適切なテキスト情報を簡便に投稿することができる。
【００７６】
また、好適には、前記歌唱評価手段１０６による評価の対象となったカラオケデータの演奏出力に際して、前記マイクロフォン５２から入力される音声情報を録音する録音制御手段１１０（Ｓ２及びＳ６）を備え、前記投稿制御手段１１２は、前記投稿画像１４４等の投稿に相前後して、前記歌唱評価手段１０６による評価の対象となったカラオケデータの演奏出力に際して前記録音制御手段１１０により録音された音声情報を、前記投稿画像１４４等と対応付けて前記ＳＮＳへ投稿するものであるため、前記投稿画像１４４等に加えて、評価の対象となったカラオケ演奏の録音データを簡便に投稿することができる。
【００７７】
また、本実施例によれば、前記携帯電話機１２の制御装置におけるＣＰＵ３０を、所定のカラオケデータの演奏出力に際して、そのカラオケデータに係る模範歌唱データと前記マイクロフォン１２から入力される音声情報とを比較することにより、その音声情報に対応する歌唱を評価する歌唱評価手段１０６、その歌唱評価手段１０６による評価結果を含む画像１２０を前記タッチパネルディスプレイ５４に表示させる評価結果表示手段１０８、及び、予め前記携帯電話機１２に登録されたＳＮＳへの投稿を行うための操作が行われた場合、前記タッチパネルディスプレイ５４に表示された画像１２０のうち前記演奏出力の継続に係る部分画像を除外し、且つ前記携帯電話機１２によるカラオケ演奏の利用記録に係る情報を付加した投稿画像１４４等を前記ＳＮＳへ投稿する投稿制御手段１１２として機能させることを特徴とするプログラムすなわち所謂スマートフォン用のアプリである。このようにすれば、前記携帯電話機１２によるカラオケ演奏に際して前記タッチパネルディスプレイ５４に表示される画像１２０のうち不要な部分を削除し、盛り込むべき部分を追加した前記カラオケ演奏の評価結果を示す投稿画像１４４等を、前記ＳＮＳに簡便に投稿することができる。すなわち、カラオケ演奏の評価結果を簡便にソーシャルネットワークサービスに投稿するプログラムを提供することができる。
【００７８】
以上、本発明の好適な実施例を図面に基づいて詳細に説明したが、本発明はこれに限定されるものではなく、更に別の態様においても実施される。
【００７９】
例えば、前述の実施例では、携帯型情報通信端末として所謂スマートフォンである携帯電話機１２に本発明が適用された例について説明したが、本発明はこれに限定されるものではなく、例えば、携帯型情報通信端末としての前記タブレット１４の他、通信機能を有する携帯型コンシューマゲーム機、携帯型カラオケ装置、携帯型音楽プレイヤ、及び携帯型パーソナルコンピュータ等に広く適用され得るものである。
【００８０】
また、前述の実施例においては、前記カラオケサービスに係るサーバ装置２０と、前記ＳＮＳに係るサーバ装置２２とが、それぞれ個別のサーバ装置として備えられた通信システム１０に本発明が適用された例について説明したが、前記カラオケサービス及び前記ＳＮＳをを統括的に管理運営するサーバ装置を備えた通信システムにも、本発明は好適に適用されるものである。
【００８１】
また、前述の実施例においては、カラオケ演奏に際して前記サーバ装置２０のカラオケデータベース８６から演奏対象となるカラオケデータをダウンロードして演奏制御を行う態様の携帯電話機１２について説明したが、本発明の携帯型情報通信端末は、そのカラオケ演奏に際して必ずしも前記サーバ装置２０からカラオケデータをダウンロードして演奏制御を行うものでなくともよく、予め携帯型情報通信端末の記憶部内に記憶されたカラオケデータに基づいて前記カラオケ演奏制御及び歌唱評価制御等を実行するものであってもよい。
【００８２】
その他、一々例示はしないが、本発明はその趣旨を逸脱しない範囲内において種々の変更が加えられて実施されるものである。
【符号の説明】
【００８３】
１２：携帯電話機（携帯型情報通信端末）、１４：タブレット（携帯型情報通信端末）、１８：通信回線、２０、２２：サーバ装置、５２：マイクロフォン（音声入力部）、５６：表示装置（表示部）、１０６：歌唱評価手段、１０８：評価結果表示手段、１１０：録音制御手段、１１２：投稿制御手段、１１４：公開範囲設定手段、１１６：投稿テキスト編集手段、１１８：投稿画像表示手段、１２０：評価結果を含む画像、１２６：グラフ、１３８：アバタ画像、１４４、１６０、１６２：投稿画像
【図１】
2014119667.tif 000003
【図２】
2014119667.tif 000004
【図３】
2014119667.tif 000005
【図４】
2014119667.tif 000006
【図５】
2014119667.tif 000007
【図９】
2014119667.tif 000008
【図１３】
2014119667.tif 000009
【図１４】
2014119667.tif 000010
【図６】
2014119667.tif 000011
【図７】
2014119667.tif 000012
【図８】
2014119667.tif 000013
【図１０】
2014119667.tif 000014
【図１１】
2014119667.tif 000015
【図１２】
2014119667.tif 000016